【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
工程
ａ）式（Ｉ）
【化１】
2006517248.tif 000001
（式中、Ｌは炭素原子数１ないし１８のアルキレン基、フェニレン基、フェニル基で置換された炭素原子数１ないし１８のアルキレン−オキシ基、フェニレン−炭素原子数１ないし１８のアルキレン基、炭素原子数１ないし１８のアルキレン−フェニレン基、炭素原子数１ないし１８のアルキレン−フェニレン−オキシ基及び炭素原子数５ないし１２のシクロアルキレン基からなる群より選択される架橋基を表し；
Ｒp及びＲqは独立して、未置換又は１個以上の電子吸引基若しくはフェニル基で置換された、第三級に結合された炭素原子数４ないし２８のアルキル基又は炭素原子数３ないし１７の第二級に結合されたアルキル基を表すか；又は
Ｒp及びＲqは一緒になって、少なくとも４個の炭素原子数１ないし４のアルキル基で置換され、更なる窒素原子又は酸素原子で中断されてもよい５，６又は７員複素環を形成する。）で表される開始剤／調節剤の存在下でエチレン性不飽和単量体をオリゴマー、共オリゴマー、重合体又は共重合体に重合すること；及び第二工程
ｂ）重合体溶融物を混合するのに適した装置中での溶融において、ａ）で調製した重合体又は共重合体を−ＣＯＯＨ、−ＮＨ2、−ＮＨＲ’、−Ｃ（Ｏ）−ＮＨＲ’、
【化２】
2006517248.tif 000002
（式中、Ｒ’は炭素原子数１ないし１８のアルキル基を表す。）からなる群より選択され
る、結合された官能基Ｘを有するか、又は骨格中に反復ユニットとして基Ｘ
【化３】
2006517248.tif 000003
を有するランダム、ブロック又はグラフト共重合体と反応させる
工程を含む櫛形共重合体の製造方法。
【請求項２】
開始剤／調節剤が式（ＩＩａ）
【化４】
2006517248.tif 000004
｛式中、Ｒ1、Ｒ2、Ｒ3及びＲ4は互いに独立して炭素原子数１ないし４のアルキル基を表し；Ｒ5は水素原子又は炭素原子数１ないし４のアルキル基を表し；Ｒ’6は水素原子を表し、Ｒ6は、Ｈ、ＯＲ10、ＮＲ10Ｒ11、−ＯＣ（Ｏ）−Ｒ10又はＮＲ11−Ｃ（Ｏ）−Ｒ10（Ｒ10及びＲ11は独立して、水素原子、炭素原子数１ないし１８のアルキル基、炭素原子数２ないし１８のアルケニル基、炭素原子数２ないし１８のアルキニル基若しくは少なくとも１個のヒドロキシ基で置換された炭素原子数２ないし１８のアルキル基を表すか、又は、もしＲ6がＮＲ10Ｒ11の場合、一緒になって、炭素原子数２ないし１２のアルキレン橋若しくは少なくとも１個のＯ原子によって中断された炭素原子数２ないし１２のアルキレン橋を形成する。）を表すか又は
Ｒ6及びＲ’6は一緒になって、両方とも水素原子、基＝Ｏ又は基＝Ｎ−Ｏ−Ｒ20［式中、Ｒ20は、Ｈ、未置換又は１個以上のＯＨ、炭素原子数１ないし８のアルコキシ基、カルボキシ基、炭素原子数１ないし８のアルコキシカルボニル基で置換されてもよい直鎖又は分岐鎖の炭素原子数１ないし１８のアルキル基、炭素原子数３ないし１８のアルケニル基又は炭素原子数３ないし１８のアルキニル基；炭素原子数５ないし１２のシクロアルキル基又は炭素原子数５ないし１２のシクロアルケニル基；未置換又は１個以上の炭素原子数１ないし８のアルキル基、ハロゲン原子、ＯＨ、炭素原子数１ないし８のアルコキシ基、カルボキシ基、炭素原子数１ないし８のアルコキシカルボニル基で置換されてもよいフェニル基、炭素原子数７ないし９のフェニルアルキル基又はナフチル基；−Ｃ（Ｏ）−炭素原子数１ないし３６のアルキル基、又は３ないし５個の炭素原子を有するα，β−不飽和カルボン酸のアシル部分若しくは７ないし１５個の炭素原子を有する芳香族カルボン酸のアシル部分；−ＳＯ3-Ｑ+、−ＰＯ（Ｏ-Ｑ+）2、−Ｐ（Ｏ）（ＯＲ2）2、−ＳＯ2−Ｒ2、−ＣＯ−ＮＨ−Ｒ2、−ＣＯＮＨ2、ＣＯＯＲ2又はＳｉ（Ｍｅ）3（式中、Ｑ+はＨ+、アンモニウム又はアルカリ金属カチオンを表す。）を表す。］を表すか又は
Ｒ6及びＲ’6は独立して、−Ｏ−炭素原子数１ないし１２のアルキル基、−Ｏ−炭素原子数３ないし１２のアルケニル基、−Ｏ−炭素原子数３ないし１２のアルキニル基、−Ｏ−炭素原子数５ないし８のシクロアルキル基、−Ｏ−フェニル基、−Ｏ−ナフチル基、−Ｏ
−炭素原子数７ないし９のフェニルアルキル基を表すか又は
Ｒ6及びＲ’6は一緒になって、−Ｏ−Ｃ（Ｒ21）（Ｒ22）−ＣＨ（Ｒ23）−Ｏ−、−Ｏ−ＣＨ（Ｒ21）−ＣＨ22−Ｃ（Ｒ22）（Ｒ23）−Ｏ−、−Ｏ−ＣＨ（Ｒ22）−ＣＨ2−Ｃ（Ｒ21）（Ｒ23）−Ｏ−、−Ｏ−ＣＨ2−Ｃ（Ｒ21）（Ｒ22）−ＣＨ（Ｒ23）−Ｏ−、−Ｏ−ｏ−フェニレン−Ｏ−、−Ｏ−１，２−シクロヘキシリデン−Ｏ−、−Ｏ−ＣＨ2−ＣＨ＝ＣＨ−ＣＨ2−Ｏ−又は
【化５】
2006517248.tif 000005
（式中、Ｒ21は水素原子、炭素原子数１ないし１２のアルキル基、ＣＯＯＨ、ＣＯＯ−（炭素原子数１ないし１２）アルキル基又はＣＨ2ＯＲ24を表し；
Ｒ22及びＲ23は独立して、水素原子、メチル基、エチル基、ＣＯＯＨ又はＣＯＯ−（炭素原子数１ないし１２）アルキル基を表し；
Ｒ24は水素原子、炭素原子数１ないし１２のアルキル基、ベンジル基、又は１８個までの炭素原子を有する脂肪族、環状脂肪族若しくは芳香族の１価カルボン酸から誘導される１価アシル残基を表す。）で表される２価基の一つを形成し；及び
Ｒ7及びＲ8は独立して、水素原子又は炭素原子数１ないし１８のアルキル基を表す。｝で表される請求項１記載の方法。
【請求項３】
請求項１記載の式（Ｉ）で表される開始剤／調節剤の存在下、少なくとも１個のエチレン性不飽和単量体を重合させることにより調製される重合体又は共重合体と、−ＣＯＯＨ、−ＮＨ2、−ＮＨＲ’、−Ｃ（Ｏ）−ＮＨＲ’（式中、Ｒ’は炭素原子数１ないし１８のアルキル基を表す。）、
【化６】
2006517248.tif 000006
からなる群より選択される、結合された官能基Ｘを有するか、又は骨格中に反復ユニットとして基Ｘ
【化７】
2006517248.tif 000007
を有するランダム、ブロック又はグラフト共重合体を含有する組成物。
【請求項４】
請求項１記載の方法により得られる櫛形共重合体。
【請求項５】
式（ＩＩＩ）
【化８】
2006517248.tif 000008
（式中、Ａ及びＤは少なくとも１個のエチレン性不飽和単量体から誘導される反復ユニットを表し、ａは１から１００までの数を表し、ｄは１から１００までの数を表し、ｎは１から１０００までの数を表し、Ｚ1は請求項１で定義された基Ｘと請求項１の工程ａ）で定義された重合体のエポキシ基との反応生成物を表し、Ｗは請求項１の工程ａ）で定義された重合体の反復ユニットを表し、ｍは５から１０００までの数を表し、Ｌは炭素原子数１ないし１８のアルキレン基、フェニレン基、フェニル基で置換された炭素原子数１ないし１８のアルキレン−オキシ基、フェニレン−炭素原子数１ないし１８のアルキレン基、炭素原子数１ないし１８のアルキレン−フェニレン基、炭素原子数１ないし１８のアルキレン−フェニレン−オキシ基及び炭素原子数５ないし１２のシクロアルキレン基からなる群より選択される結合基を表し、及び
Ｒp及びＲqは独立して、未置換又は１個以上の電子吸引基若しくはフェニル基で置換された、第三級に結合された炭素原子数４ないし２８のアルキル基又は炭素原子数３ないし１７の第二級に結合されたアルキル基を表すか；又は
Ｒp及びＲqは一緒になって、少なくとも４個の炭素原子数１ないし４のアルキル基で置換され、更なる窒素原子又は酸素原子で中断されてもよい５，６又は７員複素環を形成する。）で表される重合体。
【請求項６】
請求項１記載の方法により調製される櫛形共重合体の、分散剤、相溶剤、カップリング剤、バリヤ剤、接着剤及び表面改質剤又は耐衝撃性改良剤としての使用。